(57)【要約】【課題】加熱ローラの温度調整時のフィルムの巻出し量を抑制して、電解質膜フィルムと触媒電極フィルム等のフィルム同士の位置ずれを抑制する。【解決手段】圧着装置４０は、ＡｎフィルムＦ１に接する加熱ローラ２０ａに対して第２の加熱ローラ２０ｂを離間させるローラ離間装置５０と、ＡｎフィルムＦ１を加熱ローラ２０ａから離すように、ＡｎフィルムＦ１の搬送経路Ｓを変更可能な経路変更装置５１とを有する。経路変更装置５０は、接触ローラ６０と、接触ローラ６０を所定の位置Ｐに移動させるローラ移動機構６１とを有する。所定の位置Ｐを、搬送経路Ｓの増加量が少なくなるように設定する。【選択図】図５
2015150852.tif 000002
【特許請求の範囲】
【請求項１】
対向して回転する一対の加熱ローラを用いて搬送経路上の第１のフィルムと第２のフィルムを圧着する圧着装置であって、
前記第１のフィルムに接する第１の加熱ローラに対して第２の加熱ローラを離間させるローラ離間装置と、
前記第１のフィルムを前記第１の加熱ローラから離すように、前記第１のフィルムの搬送経路を変更可能な経路変更装置と、を有し、
前記経路変更装置は、
加熱圧着前の前記第１のフィルムに接触可能な接触ローラと、
前記第１のフィルムに接触した前記接触ローラを所定の位置に移動させるローラ移動機構と、を有し、前記接触ローラの移動により前記搬送経路を変更し、
前記所定の位置は、
前記第１の加熱ローラに前記第１のフィルムを搬送する第１の搬送ローラと前記第１の加熱ローラとに接する第１の直線と、
前記第１の加熱ローラと当該第１の加熱ローラから送り出された第１のフィルムを搬送する第２の搬送ローラとに接する第２の直線と、
前記第１の搬送ローラと前記第２の搬送ローラとを焦点としなおかつ前記接触ローラを通り前記第１の加熱ローラに接する第３の直線と前記第２の直線との交点を通る楕円と、に囲まれた領域の内側にある、圧着装置。
【請求項２】
前記ローラ移動機構は、前記接触ローラを前記所定の位置までＳ字状に移動させる、請求項１に記載の圧着装置。
【請求項３】
前記第１のフィルムは、触媒電極を有するフィルムであり、前記第２のフィルムは、電解質膜を有するフィルムである、請求項１又は２に記載の圧着装置。
【請求項４】
膜電極接合体の製造方法であって、
対向して回転する一対の加熱ローラを用いて、搬送経路上の触媒電極を有する第１のフィルムと電解質膜を有する第２のフィルムとを圧着する工程と、
前記第１のフィルムと前記第２のフィルムの圧着を停止する工程と、を有し、
前記圧着を停止する工程は、
前記第１のフィルムに接する第１の加熱ローラに対して第２の加熱ローラを離間する工程と、
前記第１のフィルムを前記第１の加熱ローラから離すように、前記第１のフィルムの搬送経路を変更する工程と、を有し、
前記搬送経路を変更する工程は、前記第１のフィルムに接触した接触ローラを所定の位置に移動させ、当該接触ローラの移動により前記搬送経路を変更し、
前記所定の位置は、
前記第１の加熱ローラに前記第１のフィルムを搬送する第１の搬送ローラと前記第１の加熱ローラとに接する第１の直線と、
前記第１の加熱ローラと当該第１の加熱ローラから送り出された第１のフィルムを搬送する第２の搬送ローラとに接する第２の直線と、
前記第１の搬送ローラと前記第２の搬送ローラとを焦点としなおかつ前記接触ローラを通り前記第１の加熱ローラに接する第３の直線と前記第２の直線との交点を通る楕円と、に囲まれた領域の内側にある、膜電極接合体の製造方法。
【請求項５】
前記接触ローラを移動させる工程は、前記接触ローラを前記所定の位置までＳ字状に移動させる、請求項４に記載の膜電極接合体の製造方法。
【発明の詳細な説明】
【技術分野】
【０００１】
本発明は、圧着装置及び膜電極接合体の製造方法に関する。
【背景技術】
【０００２】
燃料電池に用いられる膜電極接合体の製造工程では、例えばアノード触媒電極とカソード触媒電極が、電解質膜に順次転写される。これらの転写は、例えば搬送経路上で対向する一対の加熱ローラにより、電解質膜を有するフィルム（以下、「電解質膜フィルム」とする。）と各触媒電極を有するフィルム（以下、「触媒電極フィルム」とする。）とを加熱圧着することにより行われている。
【０００３】
ところで、上述のように加熱ローラにより加熱圧着する際、加熱ローラ全体の温度が均一でないと、電解質膜フィルムと触媒電極フィルムが適切に圧着されない。このため、例えば加熱圧着の再開前等には、加熱ローラの温度を均一にするため、一方の加熱ローラから他方の加熱ローラを退避させ、さらに搬送ローラを用いて加熱ローラからフィルムを離して、加熱ローラを空回りさせる技術が提案されている（特許文献１参照）。
【先行技術文献】
【特許文献】
【０００４】
【特許文献１】特開２０１３−１６９７７１号公報
【発明の概要】
【発明が解決しようとする課題】
【０００５】
しかしながら、上述の技術では、フィルムが加熱ローラから離れるまで、伸縮する支持腕により搬送ローラを直線的に移動させている。このため、通常の圧着時の搬送経路から大きくずれ、フィルムの搬送経路が長くなり、その分電解質膜フィルムや触媒電極フィルムの巻出しロールからの巻出し量が増える。これにより、圧着を再開するため搬送経路を元に戻した際に、搬送経路上の電解質膜フィルムと触媒電極フィルムの間に位置ずれが生じ易くなる。この位置ずれが生じると、電解質膜フィルムと触媒電極フィルムの圧着が適切に行われなくなる。
【０００６】
本発明はかかる点に鑑みてなされたものであり、加熱ローラの温度調整時のフィルムの巻出し量を低減して、電解質膜フィルムと触媒電極フィルム等のフィルム同士の位置ずれを抑制可能な圧着装置及び膜電極接合体の製造方法を提供することをその目的とする。
【課題を解決するための手段】
【０００７】
上記目的を達成するための本発明は、対向して回転する一対の加熱ローラを用いて搬送経路上の第１のフィルムと第２のフィルムを圧着する圧着装置であって、前記第１のフィルムに接する第１の加熱ローラに対して第２の加熱ローラを離間させるローラ離間装置と、前記第１のフィルムを前記第１の加熱ローラから離すように、前記第１のフィルムの搬送経路を変更可能な経路変更装置と、を有し、前記経路変更装置は、加熱圧着前の前記第１のフィルムに接触可能な接触ローラと、前記第１のフィルムに接触した前記接触ローラを所定の位置に移動させるローラ移動機構と、を有し、前記接触ローラの移動により前記搬送経路を変更し、前記所定の位置は、前記第１の加熱ローラに前記第１のフィルムを搬送する第１の搬送ローラと前記第１の加熱ローラとに接する第１の直線と、前記第１の加熱ローラと当該第１の加熱ローラから送り出された第１のフィルムを搬送する第２の搬送ローラとに接する第２の直線と、前記第１の搬送ローラと前記第２の搬送ローラとを焦点としなおかつ前記接触ローラを通り前記第１の加熱ローラに接する第３の直線と前記第２の直線との交点を通る楕円と、に囲まれた領域の内側にある、圧着装置である。
【０００８】
本発明によれば、フィルムを加熱ローラから離す際の接触ローラの移動先の位置を上記所定の位置に設定することにより、フィルムの搬送経路の変更量が少なくなるので、加熱ローラの温度調整時のフィルムの巻出し量を低減でき、フィルム同士の位置ずれを抑制できる。
【０００９】
前記ローラ移動機構は、前記接触ローラを前記所定の位置までＳ字状に移動させるようにしてもよい。かかる場合、例えば接触ローラを所定の位置まで移動させる間に、フィルムの巻出し量を常に増加させることができるので、フィルムの張力の制御が簡単となる。この結果、フィルム同士の位置ずれをさらに抑制できる。
【００１０】
前記第１のフィルムは、触媒電極を有するフィルムであり、前記第２のフィルムは、電解質膜を有するフィルムであってもよい。
【００１１】
別の観点による本発明は、膜電極接合体の製造方法であって、対向して回転する一対の加熱ローラを用いて、搬送経路上の触媒電極を有する第１のフィルムと電解質膜を有する第２のフィルムとを圧着する工程と、前記第１のフィルムと前記第２のフィルムの圧着を停止する工程と、を有し、前記圧着を停止する工程は、前記第１のフィルムに接する第１の加熱ローラに対して第２の加熱ローラを離間する工程と、前記第１のフィルムを前記第１の加熱ローラから離すように、前記第１のフィルムの搬送経路を変更する工程と、を有し、前記搬送経路を変更する工程は、前記第１のフィルムに接触した接触ローラを所定の位置に移動させ、当該接触ローラの移動により前記搬送経路を変更し、前記所定の位置は、前記第１の加熱ローラに前記第１のフィルムを搬送する第１の搬送ローラと前記第１の加熱ローラとに接する第１の直線と、前記第１の加熱ローラと当該第１の加熱ローラから送り出された第１のフィルムを搬送する第２の搬送ローラとに接する第２の直線と、前記第１の搬送ローラと前記第２の搬送ローラとを焦点としなおかつ前記接触ローラを通り前記第１の加熱ローラに接する第３の直線と前記第２の直線との交点を通る楕円と、に囲まれた領域の内側にある膜電極接合体の製造方法である。
【００１２】
前記接触ローラを移動させる工程は、前記接触ローラを前記所定の位置までＳ字状に移動させるようにしてもよい。
【発明の効果】
【００１３】
本発明によれば、加熱ローラの温度調整時のフィルムの巻出し量を低減して、電解質膜フィルムや触媒電極フィルムなどのフィルム同士の位置ずれを抑制し、フィルムの圧着や、膜電極接合体の製造を適切に行うことができる。
【図面の簡単な説明】
【００１４】
【図１】膜電極接合体の製造装置の構成の概略を示す模式図である。
【図２】圧着装置の構成の概略を示す模式図である。
【図３】接触ローラの移動先の所定位置を説明するための説明図である。
【図４】通常製造時の第１の加熱圧着部の様子を示す説明図である。
【図５】圧着停止時の第１の加熱圧着部の様子を示す説明図である。
【図６】接触ローラの移動経路とフィルムの巻出し量との関係を示すグラフである。
【図７】接触ローラを円弧状に移動させる場合の様子を示す説明図である。
【図８】接触ローラを直線的に移動させる場合の様子を示す説明図である。
【発明を実施するための形態】
【００１５】
以下、本発明の実施の形態について詳細に説明する。なお、図面の上下左右等の位置関係は、特に断らない限り、図面に示す位置関係に基づくものとする。また、図面の寸法比率は、図示の比率に限定されるものではない。さらに、以下の実施の形態は、本発明を説明するための例示であり、本発明をその実施の形態のみに限定する趣旨ではない。またさらに、本発明は、その要旨を逸脱しない限り、さまざまな変形が可能である。
【００１６】
図１は、本実施形態に係る圧着装置を備えた膜電極接合体の製造装置１の構成の概略を示す模式図である。
【００１７】
膜電極接合体の製造装置１は、例えば電解質膜にアノード触媒電極を転写する第１の加熱圧着部１０と、電解質膜にカソード触媒電極を転写する第２の加熱圧着部１１との２つの加熱圧着部を有している。第１の加熱圧着部１０と第２の加熱圧着部１１は、それぞれ対向する一対の加熱ローラ２０、２１を有し、当該加熱ローラ２０、２１を用いて２枚のフィルムを加熱圧着する。
【００１８】
膜電極接合体の製造装置１は、アノードの触媒電極フィルム（以下、「Ａｎフィルム」とする。）Ｆ１を、Ａｎフィルム巻出しロール３０から第１の加熱圧着部１０に搬送する第１の搬送部Ａ１と、電解質膜フィルム巻出しロール３１から第１の加熱圧着部１０に電解質膜フィルムＦ２を搬送する第２の搬送部Ａ２と、第１の加熱圧着部１０で圧着されたＡｎフィルムＦ１及び電解質膜フィルムＦ２を第２の加熱圧着部１１に搬送する第３の搬送部Ａ３と、第３の搬送部Ａ３のＡｎフィルムＦ１からダミーシートＤＳを剥離しダミーシート巻取りロール３２に回収する第４の搬送部Ａ４と、第３の搬送部Ａ３の電解質膜フィルムＦ２からバックシートＢＳを剥離しバックシート巻取りロール３３に回収する第５の搬送部Ａ５と、カソードの触媒電極フィルム（以下、「Ｃａフィルム」とする。）Ｆ３を、Ｃａフィルム巻出しロール３４から第２の加熱圧着部１１に搬送する第６の搬送部Ａ６と、第２の加熱圧着部１１で圧着された電解質膜フィルムＦ２、ＡｎフィルムＦ１及びＣａフィルムＦ３を回収ロール３５に搬送する第７の搬送部Ａ７を有している。
【００１９】
各搬送部Ａ１〜Ａ７は、複数の搬送ローラＲを有し、これらの搬送ローラＲにより各フィルムやシートの搬送経路Ｓが形成されている。
【００２０】
第１の加熱圧着部１０は、図２に示すような圧着装置４０により構成されている。圧着装置４０は、例えばＡｎフィルムＦ１に接する第１の加熱ローラ２０ａに対して第２の加熱ローラ２０ｂを離間させるローラ離間装置５０と、ＡｎフィルムＦ１を第１の加熱ローラ２０ａから離すように、ＡｎフィルムＦ１及び電解質膜フィルムＦ２の搬送経路Ｓを変更可能な経路変更装置５１を有している。
【００２１】
ローラ離間装置５０は、例えば第２の加熱ローラ２０ｂを第１の加熱ローラ２０ａに対し水平に移動させるシリンダなどを備えた駆動機構により構成されている。
【００２２】
経路変更装置５１は、加熱圧着前のＡｎフィルムＦ１に接触可能な接触ローラ６０と、接触ローラ６０を所定の位置Ｐに移動させるローラ移動機構６１を有している。
【００２３】
接触ローラ６０は、加熱ローラ２０ａより上流側であって、ＡｎフィルムＦ１に対し加熱ローラ２０ａの側に設けられ、通常位置（初期位置）としてＡｎフィルムＦ１に接触しない位置に設けられている。
【００２４】
ローラ移動機構６１は、ＡｎフィルムＦ１が加熱ローラ２０ａに接触しなくなる位置であって、接触ローラ６０を直線的に移動させた場合に比べて搬送経路Ｓの長さの増加量が少なくなる（ＡｎフィルムＦ１の巻出し量が少なくなる）所定の位置Ｐに接触ローラ６０を移動させることができる。すなわち、所定の位置Ｐは、図３に示すように第１の加熱ローラ２０ａにＡｎフィルムＦ１を搬送する、第１の加熱ローラ２０ａの直前の第１の搬送ローラＲ１と、第１の加熱ローラ２０ａとに接する第１の直線Ｌ１と、第１の加熱ローラ２０ａと第１の加熱ローラ２０ａから送り出されたＡｎフィルムＦ１を受け取る第２の搬送ローラＲ２とに接する第２の直線Ｌ２と、第１の搬送ローラＲ１と第２の搬送ローラＲ２とを焦点としなおかつ接触ローラ６０を通り第１の加熱ローラ２０ａに接する第３の直線Ｌ３と第２の直線Ｌ２との交点Ｇを通る楕円Ｔと、に囲まれた領域Ｗ（図３の斜線部）の内側に設定されている。なお、交点Ｇは、ＡｎフィルムＦ１を加熱ローラ２０ａから離すため、仮に接触ローラ６０を直線的に移動させた場合の搬送経路Ｓの増加量が最小となる位置を示すものであり、楕円Ｔは、その楕円上の点について第１の搬送ローラＲ１からの距離ａと第２の搬送ローラＲ２からの距離ｂを加算した長さが一定になる。所定の位置Ｐは、その楕円Ｔの内側にあるので、接触ローラ６０を直線的に移動させた場合よりも搬送経路Ｓの増加量が少なくなる。
【００２５】
また、ローラ移動機構６１は、図２に示すように接触ローラ６０を所定の位置ＰまでＳ字状に移動させることができる。具体的には、ローラ移動機構６１は、接触ローラ６０を初期位置から一旦ＡｎフィルムＦ１側（図２の上側）に凸に湾曲して進み、その後加熱ローラ２０ａ側（図２の下側）に凸に湾曲して進む。この接触ローラ６０の動きを実現するため、ローラ移動機構６１は、例えば接触ローラ６０に接続されたリンク機構７０と、リンク機構７０を駆動するシリンダ７１等を備えている。
【００２６】
圧着装置４０は、その他、加熱ローラ２０ａ、２０ｂを所定温度に調整する温度調整機能、加熱ローラ２０ａ、２０ｂを所定の回転数で回転させるローラ回転機能、またこれらを制御する制御機能等を備えている。
【００２７】
第２の加熱圧着部１１は、例えば第１の加熱圧着部１０と同様の圧着装置４０を備えていてもよいし、経路変更装置５１を備えないような別構成の圧着装置を備えていてもよい。例えば第２の加熱圧着部１１は、加熱ローラ２１ｂを加熱ローラ２１ａから離間させるローラ離間装置、加熱ローラ２１ａ、２１ｂを所定温度に調整する温度調整機能、加熱ローラ２１ａ、２１ｂを所定の回転数で回転させるローラ回転機能、またこれらを制御する制御機能等を備えていてもよい。なお、第２の加熱圧着部１１では、電解質膜フィルムＦ２とＣａフィルムＦ３が下から供給されるため、加熱ローラ２１ｂを加熱ローラ２１ａから離間させることで自重によりフィルムが加熱ローラ２１ａ、２１ｂから離れる。この場合、経路変更装置はなくてもよい。
【００２８】
次に、以上のように構成された膜電極接合体の製造装置１における膜電極接合体の製造方法について説明する。
【００２９】
先ず、膜電極接合体の生産時（圧着工程時）には、図１に示すように電解質膜フィルム巻出しロール３１の電解質膜フィルムＦ２が第１の加熱圧着部１０の一対の加熱ローラ２０ａ、２０ｂに搬送されるとともに、Ａｎフィルム巻出しロール３０のＡｎフィルムＦ１が一対の加熱ローラ２０ａ、２０ｂに搬送される。第１の加熱圧着部１０では、一対の加熱ローラ２０ａ、２０ｂが所定温度に加熱されており、図４に示すように電解質膜フィルムＦ２とＡｎフィルムＦ１は加熱ローラ２０ａ、２０ｂ間を通過し加熱圧着される。これにより、電解質膜にアノード触媒電極が転写される。
【００３０】
第１の加熱圧着部１０を通過した電解質膜フィルムＦ２及びＡｎフィルムＦ１は、図１に示すように第２の加熱圧着部１１に向かって搬送され、途中、ＡｎフィルムＦ１からダミーシートＤＳが剥離されダミーシート巻取りロール３２に巻き取られ、電解質膜フィルムＦ２からバックシートＢＳが剥離されバックシート巻取りロール３３に巻き取られる。
【００３１】
Ｃａフィルム巻出しローラ３４のＣａフィルムＦ３が第２の加熱圧着部１１に搬送され、第２の加熱圧着部１１の一対の加熱ローラ２１ａ、２１ｂで電解質膜フィルムＦ２にＣａフィルムＦ３が加熱圧着される。これにより、電解質膜フィルムＦ２の各面にＡｎフィルムＦ１とＣａフィルムＦ３が圧着される。その後、フィルムが回収ロール３５に回収される。
【００３２】
フィルムの補給や交換等を行う際には、生産が一時的に停止される（圧着停止工程時）。そして生産が再開される際には、再開の前に加熱ローラ２０ａ、２０ｂの温度が均一に均される。このとき、先ず、図５に示すように第２の加熱ローラ２０ｂが第１の加熱ローラ２０ａから離される。次に、ＡｎフィルムＦ１が第１の加熱ローラ２０ａから離されるように、ＡｎフィルムＦ１の搬送経路Ｓが変更される。このとき、ＡｎフィルムＦ１と共に電解質膜フィルムＦ２の搬送経路Ｓも変更される。この搬送経路Ｓの変更は、ＡｎフィルムＦ１から退避していた接触ローラ６０が所定の位置Ｐに移動することによって行われる。このとき、接触ローラ６０は、初期位置から加熱ローラ２０ａの上方側に向かって移動し、ＡｎフィルムＦ１を押出し続いて電解質膜フィルムＦ２を押出して、ＡｎフィルムＦを加熱ローラ２０ａに接触しない位置まで移動させる。また、このとき、接触ローラ６０は、搬送経路Ｓが常に増加するようにＳ字状に移動する。
【００３３】
次に加熱ローラ２０ａ、２０ｂは、回転しながら所定温度に調整される。加熱ローラ２０ａ、２０ｂが所定温度に調整されると、接触ローラ６０が元の初期位置に戻され、ＡｎフィルムＦ１及び電解質膜フィルムＦ２の搬送経路Ｓが元の位置に戻される。また、加熱ローラ２０ｂも元の位置に戻され、ＡｎフィルムＦ１及び電解質膜フィルムＦ２が加熱ローラ２０ａと加熱ローラ２０ｂとの間に挟まれる。その後、生産が再開される。
【００３４】
本実施の形態によれば、加熱ローラ２０ａ、２０ｂの温度調整時にＡｎフィルムＦ１を加熱ローラ２０ａから離す際に、接触ローラ６０を加熱ローラ２０ａにより近い所定の位置Ｐに移動させるので、ＡｎフィルムＦ１や電解質膜フィルムＦ２の搬送経路Ｓの増加量が少なくなり、ＡｎフィルムＦ１や電解質膜フィルムＦ２が各ロールから巻出される量を抑制できる。よって、搬送経路Ｓ上のフィルムＦ１、Ｆ２同士の位置ずれを抑制できる。
【００３５】
ローラ移動機構６１は、接触ローラ６０を所定の位置ＰまでＳ字状に移動させるので、接触ローラ６０を所定の位置Ｐまで移動させる間に、ＡｎフィルムＦ１や電解質膜フィルムＦ２の巻出し量を常に増加させることができる。この結果、例えばフィルムの張力の制御が簡単となり、フィルムの位置ずれをさらに抑制できる。
【００３６】
図６に、接触ローラ６０の移動軌跡に応じたフィルムの巻出し長さの例を示す。本実施の形態のように接触ローラ６０をＳ字状に移動させた場合、図７に示すように円弧状に移動させた場合、図８に示すように直線状に移動させた場合を比較した。図６に示すように、接触ローラ６０をＳ字状に移動させた場合、常にフィルムの巻出し長さ（搬送経路の長さ）が増加し、なおかつ最終的なフィルムの巻出し長さが少なくなる。なお、上記実施の形態では、接触ローラ６０を、初期位置から一旦ＡｎフィルムＦ１側（図２の上側）に凸に湾曲して進み、その後加熱ローラ２０ａ側（図２の下側）に凸に湾曲して進むようにしてＳ字状に移動させている。この場合、前半の動きで接触ローラ６０の加熱ローラ２０ａへの接触を回避し、後半の動きで接触ローラ６０の移動量を極力少なくしている。
【００３７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３８】
例えば上記実施の形態では、接触ローラ６０を図２に示したようなＳ字状に移動させていたが、このＳ字状の移動軌跡は、接触ローラ６０の移動に応じたフィルムの巻き出し長さ（搬送経路の長さ）が減少せず、なおかつ円弧状に同地点まで移動させた場合と比較してフィルムの巻き出し長さが短くなるような移動軌跡を含むものであり、この条件を満たすものであれば、その移動軌跡は所定の角度に折れ曲がる直線の集合体でも、滑らかな曲線の集合体でも、直線と曲線の複合体でもよい。また、例えば上記実施の形態では、第１の加熱圧着部１０の一対の加熱ローラ２０ａ、２０ｂを温度調整する際に本発明を適用していたが、第２の加熱圧着部１１においても同様にして本発明を適用してもよい。かかる場合、第２の加熱圧着部１１に図２に示した圧着装置４０を設けて接触ローラ６０を所定の位置Ｐに移動して搬送経路Ｓを変更してもよい。また、上記実施の形態の膜電極接合体の製造装置１では、電解質膜フィルムに初めにＡｎフィルムを圧着し、次にＣａフィルムを圧着していたが、その逆であってもよい。また、膜電極接合体の製造装置１の搬送路Ａ１〜Ａ７の構成はこれに限られず、他の構成であっても本発明は適用できる。また、圧着装置４０の構成もこれに限られず、他の構成を有するものであってもよい。ＡｎフィルムＦ１、電解質膜フィルムＦ２、ＣａフィルムＦ３の構成もこれに限られない。さらに、本発明は、ＡｎフィルムＦ１、電解質膜フィルムＦ２、ＣａフィルムＦ３以外のフィルムの圧着に適用してもよい。
【産業上の利用可能性】
【００３９】
本発明は、加熱ローラの温度調整時のフィルムの巻出し量を抑制して、電解質膜フィルムと触媒電極フィルムなどのフィルム同士の位置ずれを抑制する際に有用である。
【符号の説明】
【００４０】
１  膜電極接合体の製造装置
１０  第１の加熱圧着部
２０  一対の加熱ローラ
２０ａ  第１の加熱ローラ
２０ｂ  第２の加熱ローラ
４０  圧着装置
５０  ローラ離間装置
５１  経路変更装置
６０  接触ローラ
６１  ローラ移動機構
Ｆ１  Ａｎフィルム
Ｆ２  電解質膜フィルム
Ｆ３  Ｃａフィルム
Ｐ  所定位置
Ｓ  搬送経路
【図１】
2015150852.tif 000003
【図２】
2015150852.tif 000004
【図３】
2015150852.tif 000005
【図４】
2015150852.tif 000006
【図５】
2015150852.tif 000007
【図６】
2015150852.tif 000008
【図７】
2015150852.tif 000009
【図８】
2015150852.tif 000010